(57)【特許請求の範囲】
【請求項１】
光源の光を画像情報に基づいて各画素を開閉する液晶シャッター素子を２次元状に配置した液晶パネルと、前記液晶パネルを透過する前記光源の光を感光記録媒体上に結像して画像を形成する光結像手段と、前記感光記録媒体を現像する媒体現像手段に搬送する媒体搬送手段とを備えた光プリンタ装置において、
前記液晶パネルは、印刷対象となる画像の有効記録画素数が前記感光記録媒体の搬送方向にｎ個、前記感光記録媒体の搬送方向と直交する方向にｍ個である場合、前記液晶シャッター素子を前記感光記録媒体の搬送方向と直交する方向にそれぞれｍ個配列した赤色液晶シャッター素子列、緑色液晶シャッター素子列および青色液晶シャッター素子列を有するとともに、前記感光記録媒体の搬送方向に赤色液晶シャッター素子列、緑色液晶シャッター素子列および青色液晶シャッター素子列を一定ピッチで適宜の順に配列した３列を１つのセットとして、この順序で繰り返し（ｎ＋２）列配列してなり、
前記各液晶シャッター素子は、前記感光記録媒体が前記一定ピッチ搬送される毎に露光駆動されるものであり、
１回目の露光動作では、液晶パネル上の副走査方向Ｎ列目の液晶シャッター素子列は、画像情報の副走査方向Ｎ列目の画像データに基づいて駆動され（ただし、１回目の露光動作でのＮは、１からｎまでの整数）、
２回目の露光動作では、液晶パネル上のＮ列目の液晶シャッター素子列は、画像情報の副走査方向（Ｎ−１）列目の画像データに従って駆動され（ただし、２回目の露光動作でのＮは、２から（ｎ＋１）までの整数）、
３回目の露光動作では、液晶パネル上のＮ列目の液晶シャッター素子列は、画像情報の副走査方向（Ｎ−２）列目の画像データに基づいて駆動される（ただし、３回目の露光動作でのＮは、３から（ｎ＋２）までの整数）ことを特徴とする光カラープリンタ装置。
【請求項２】
光源の光を画像情報に基づいて各画素を開閉する液晶シャッター素子を２次元状に配置した液晶パネルと、前記液晶パネルを透過する前記光源の光を感光記録媒体上に結像して画像を形成する光結像手段と、前記感光記録媒体を現像する媒体現像手段に搬送する媒体搬送手段とを備えた光プリンタ装置において、
前記液晶パネルは、印刷対象となる画像の有効記録画素数が前記感光記録媒体の搬送方向にｎ（ただし、ｎ≧２）個、前記感光記録媒体の搬送方向と直交する方向にｍ個である場合、前記液晶シャッター素子を前記感光記録媒体の搬送方向と直交する方向にそれぞれｍ個配列した赤色液晶シャッター素子列、緑色液晶シャッター素子列および青色液晶シャッター素子列を有するとともに、前記感光記録媒体の搬送方向に赤色液晶シャッター素子列、緑色液晶シャッター素子列および青色液晶シャッター素子列を２画素幅ピッチで適宜の順に配列したものを１つのセットとして、前記記録画素数ｎが偶数の場合に該セットの順序で繰り返し（２＋ｎ／２）列配列し、
前記各液晶シャッター素子は、前記感光記録媒体を１画素幅搬送する毎に露光駆動されるものであり、
１回目の露光動作では、液晶パネル上の副走査方向Ｎ列目の液晶シャッター素子列は、画像情報の副走査方向２Ｎ列目の画像データに基づいて駆動され（ただし、１回目の露光動作でのＮは、１からｎ／２までの整数）、
２回目の露光動作では、液晶パネル上の副走査方向Ｎ列目の液晶シャッター素子列は、画像情報の副走査方向（２Ｎ−１）列目の画像データに基づいて駆動され（ただし、２回目の露光動作でのＮは、１からｎ／２までの整数）、
３回目の露光動作では、液晶パネル上の副走査方向Ｎ列目の液晶シャッター素子列は、画像情報の副走査方向（２Ｎ−２）列目の画像データに基づいて駆動され（ただし、３回目の露光動作でのＮは、２から（ｎ／２）＋１までの整数）、
４回目の露光動作では、液晶パネル上の副走査方向Ｎ列目の液晶シャッター素子列は、画像情報の副走査方向（２Ｎ−３）列目の画像データに基づいて駆動され（ただし、４回目の露光動作でのＮは、２から（ｎ／２）＋１までの整数）、
５回目の露光動作では、液晶パネル上の副走査方向Ｎ列目の液晶シャッター素子列は、画像情報の副走査方向（２Ｎ−４）列目の画像データに基づいて駆動され（ただし、５回目の露光動作でのＮは、３から（ｎ／２）＋２までの整数）、
６回目の露光動作では、液晶パネル上の副走査方向Ｎ列目の液晶シャッター素子列は、画像情報の副走査方向（２Ｎ−５）列目の画像データに基づいて駆動される（ただし、６回目の露光動作でのＮは、３から（ｎ／２）＋２までの整数）ことを特徴とする光カラープリンタ装置。
【発明の詳細な説明】
【０００１】
【発明の属する技術分野】
この発明は、画像データを受けて開閉する液晶シャッター素子を介し、赤、緑、青の３色を露光させて感光記録用紙にカラー画像をプリントする光カラープリンタ装置に関する。
【０００２】
【従来の技術】
一般に、画像データを受けて開閉する液晶シャッター素子を介し光を露光させて感光記録用紙に画像をプリントする光プリンタ装置においては、例えば、特開平４−２４１９６５号公報に示された液晶プリンタ装置のように、液晶パネル上に液晶セル（液晶シャッター素子）が２次元的に複数配置されている。また、光カラープリンタ装置（液晶カラープリンタ装置）に必要な赤、緑、青の３色を同一個所に露光する手段としては、例えば、特開平２−１６９２７１号公報に記載されているものが従来知られている。
【０００３】
すなわち、この公報に記載された液晶カラープリンタ装置においては、光源として赤色、緑色または青色の光を下方に向けて発するＲ，Ｇ，Ｂの３種類の単色光源が用いられ、この３種類の単色光源が、下方の焦点に直線状に会するように、下方に配置されている感光紙（感光記録媒体）の送り方向に間隔を置いて３個所に配置されている。また、この単色光源の光路を横切る下方位置の平面上には、赤色、緑色または青色の光のみを通過せしめるように感光紙の送り方向に間隔を置いて配置され、色切り換え信号を受けて順次所定時間開成するＲ、Ｇ、Ｂの三つの液晶シャッタからなる３色分離液晶シャッタが設けられている。また、光の前記焦点高さ位置には、Ｒ，Ｇ，Ｂの各液晶シャッタの開成時間に同期する画像信号を受けて、その色のそのエレメント位置に必要な露光時間だけ開成する多数の液晶シャッタエレメントが、感光紙の送り方向と直角方向のライン上に配置されている。また、このシャッタエレメントの下方平面には、感光紙が配置され、Ｒ，Ｇ，Ｂの画像信号の１ライン分の送出時間に同期して前記ラインと直交方向に連続かつ定速度で送られている。
【０００４】
そして、この従来構成においては、前記３色分離液晶シャッタは、色切換信号を受けて例えばＲ、Ｇ、Ｂの順に所定時間ずつ開成し、順次赤、緑，青色光のみを互いに異なった経路で前記直線状の焦点に向けて通過させている。また、直線状の液晶シャッタエレメント（シャッタアレイ）は，上記各色光の通過時間に同期するＲ、Ｇ、Ｂの画像信号を受けて，その色のエレメント位置に必要な露光時間だけ開成して、ラインドット状の赤色、緑色または青色の光を順次感光体に向けて通過させている。
【０００５】
このとき、感光体は，送り手段によりＲ、Ｇ、Ｂ３色の画像信号の１ライン分の送出時間に同期して、ラインと直交方向に連続かつ定速度で送られており，液晶シャッタアレイのＲ、Ｇ、Ｂの入射経路が上述のごとく異なるので、上記ライン状の焦点に対して前記感光紙の送り方向における僅か手前で、まず、例えば、赤色光がラインドット状に露光され、次に、この露光時間の間に前記ライン状焦点の直下に送られてきた感光体の前記ラインドット状の既感光部に緑色光がラインドット状に露光され、さらに、前記ライン状焦点の後方側において青色光がこの既感光部に露光されて、１ライン分の３色重ね露光が行われている。
【０００６】
【発明が解決しようとする課題】
しかしながら、この従来のものは、３種類の単色光源および２枚の液晶シャッターを用いているので、部品点数が増加し、装置の大型化化につながっていた。また、２枚の液晶シャッターを用いているため、光源からの光の透過率が悪くなり、光量が減少し、これにより、光量不足となり露光時間を長くする必要が生じ、印画速度の低下原因につながるという問題があった。また、液晶素子は入射角度依存性があり、光の入射角度により光の透過率が変化するため、３色光の入射角度の調整が難しく、画像上のズレ、焦点ボケなどが生じ易いという問題があった。
【０００７】
この発明は、このような従来の技術に存在する問題点に着目してなされたもので、安価な構成で小型、高速、高画質な光カラープリンタ装置を提供することを目的とする。
【０００８】
【課題を解決するための手段】
上記目的を達成するために、請求項１に記載の発明は、前記液晶パネルは、印刷対象となる画像の有効記録画素数が前記感光記録媒体の搬送方向にｎ個、前記感光記録媒体の搬送方向と直交する方向にｍ個である場合、前記液晶シャッター素子を前記感光記録媒体の搬送方向と直交する方向にそれぞれｍ個配列した赤色液晶シャッター素子列、緑色液晶シャッター素子列および青色液晶シャッター素子列を有するとともに、前記感光記録媒体の搬送方向に赤色液晶シャッター素子列、緑色液晶シャッター素子列および青色液晶シャッター素子列を一定ピッチで適宜の順に配列した３列を１つのセットとして、この順序で繰り返し（ｎ＋２）列配列してなり、前記各液晶シャッター素子は、前記感光記録媒体が前記一定ピッチ搬送される毎に露光駆動されるものであり、１回目の露光動作では、液晶パネル上の副走査方向Ｎ列目の液晶シャッター素子列は、画像情報の副走査方向Ｎ列目の画像データに基づいて駆動され（ただし、１回目の露光動作でのＮは、１からｎまでの整数）、２回目の露光動作では、液晶パネル上のＮ列目の液晶シャッター素子列は、画像情報の副走査方向（Ｎ−１）列目の画像データに従って駆動され（ただし、２回目の露光動作でのＮは、２から（ｎ＋１）までの整数）、３回目の露光動作では、液晶パネル上のＮ列目の液晶シャッター素子列は、画像情報の副走査方向（Ｎ−２）列目の画像データに基づいて駆動される（ただし、３回目の露光動作でのＮは、３から（ｎ＋２）までの整数）ことを特徴とする。
【０００９】
また、請求項２記載の発明は、光源の光を画像情報に基づいて各画素を開閉する液晶シャッター素子を２次元状に配置した液晶パネルと、前記液晶パネルを透過する前記光源の光を感光記録媒体上に結像して画像を形成する光結像手段と、前記感光記録媒体を現像する媒体現像手段に搬送する媒体搬送手段とを備えた光プリンタ装置において、前記液晶パネルは、印刷対象となる画像の有効記録画素数が前記感光記録媒体の搬送方向にｎ（ただし、ｎ≧２）個、前記感光記録媒体の搬送方向と直交する方向にｍ個である場合、前記液晶シャッター素子を前記感光記録媒体の搬送方向と直交する方向にそれぞれｍ個配列した赤色液晶シャッター素子列、緑色液晶シャッター素子列および青色液晶シャッター素子列を有するとともに、前記感光記録媒体の搬送方向に赤色液晶シャッター素子列、緑色液晶シャッター素子列および青色液晶シャッター素子列を２画素幅ピッチで適宜の順に配列したものを１つのセットとして、前記記録画素数ｎが偶数の場合に該セットの順序で繰り返し（２＋ｎ／２）列配列し、前記各液晶シャッター素子は、前記感光記録媒体を１画素幅搬送する毎に露光駆動されるものであり、１回目の露光動作では、液晶パネル上の副走査方向Ｎ列目の液晶シャッター素子列は、画像情報の副走査方向２Ｎ列目の画像データに基づいて駆動され（ただし、１回目の露光動作でのＮは、１からｎ／２までの整数）、２回目の露光動作では、液晶パネル上の副走査方向Ｎ列目の液晶シャッター素子列は、画像情報の副走査方向（２Ｎ−１）列目の画像データに基づいて駆動され（ただし、２回目の露光動作でのＮは、１からｎ／２までの整数）、３回目の露光動作では、液晶パネル上の副走査方向Ｎ列目の液晶シャッター素子列は、画像情報の副走査方向（２Ｎ−２）列目の画像データに基づいて駆動され（ただし、３回目の露光動作でのＮは、２から（ｎ／２）＋１までの整数）、４回目の露光動作では、液晶パネル上の副走査方向Ｎ列目の液晶シャッター素子列は、画像情報の副走査方向（２Ｎ−３）列目の画像データに基づいて駆動され（ただし、４回目の露光動作でのＮは、２から（ｎ／２）＋１までの整数）、５回目の露光動作では、液晶パネル上の副走査方向Ｎ列目の液晶シャッター素子列は、画像情報の副走査方向（２Ｎ−４）列目の画像データに基づいて駆動され（ただし、５回目の露光動作でのＮは、３から（ｎ／２）＋２までの整数）、６回目の露光動作では、液晶パネル上の副走査方向Ｎ列目の液晶シャッター素子列は、画像情報の副走査方向（２Ｎ−５）列目の画像データに基づいて駆動される（ただし、６回目の露光動作でのＮは、３から（ｎ／２）＋２までの整数）ことを特徴とする。
【００１１】
【発明の実施の形態】
（第１実施の形態）
図１は、この発明による光カラープリンタ装置の一例を示す装置の構成図である。この図において、１は液晶パネル、２は感光記録媒体、３は光源であるバックライト、８は液晶パネル１を透過した光を感光記録媒体２に結像するための光学結像手段、６は感光記録媒体２を収納するカセット、４ａ、４ｂは感光記録媒体を現像手段５に搬送する媒体搬送ローラ、６は媒体搬送ローラ４ａの回転軸に取り付けられたコードホイールであり、コードホイール６上のスリットの移動数を媒体搬送量検出器７で読み取り、図示しない演算回路によって感光記録媒体２の搬送量を検知する。
【００１２】
図２は、液晶パネル１上の液晶シャッター素子１０の配列構成を示す図である。この実施の形態では、例として印刷対象となる画像がＶＧＡサイズ（有効記録画素数が４８０×６４０ドット）である場合について記す。また、この実施の形態においては、感光記録媒体２の搬送方向（以下媒体搬送方向という）である副走査方向に６４０ドット、媒体搬送方向と直交する方向である主走査方向に４８０ドット配列するものとする。
図２において、液晶シャッター素子１０は、主走査方向に４８０個配置されており、副走査方向には赤色液晶シャッター素子列、緑色液晶シャッター素子列、青色液晶シャッター素子列の順に、各色の液晶シャッター素子列が適宜の一定寸法とされた１画素ピッチＰで（６４０＋２）列配列されている。従って、前記配列順であると、最後列の６４２列目は青色液晶シャッター素子列となる。
なお、図２において、副走査方向の数字は、液晶シャッター素子の列番号を表し、この列番号の添え字Ｒ、Ｇ、Ｂは、それぞれ赤色液晶シャッター素子列、緑色液晶シャッター素子列、青色液晶シャッター素子列を表す。
【００１３】
次に、第１実施の形態の動作について、図３に基づいて説明する。
印画動作時は、画像信号に基づいて液晶シャッター素子１０を選択的に開閉駆動することにより、バックライト３の光が感光記録媒体２上に露光され、画像信号に基づく露光像１１が感光記録媒体２上に形成される。
図３（ａ）は１回目の露光動作を示す図である。図中の露光像１１内の数値は、画像情報の副走査方向の列データに対応し、かつ、感光記録媒体上に形成された露光像１１の副走査方向の画像データを示すものであり、また、前記数値の添え字ｒ、ｇ、ｂは、それぞれ赤色液晶シャッター素子、緑色液晶シャッター素子、青色液晶シャッター素子の画像データを示す。例えば、１ｒは画像情報の副走査方向１列目の赤色信号データ、２ｇは画像情報の副走査方向２列目の緑色信号データ、３ｂは画像情報の副走査方向３列目の青色信号データであり、同様に、ｎは画像情報の副走査方向ｎ列目の画像データを表す。
図３（ａ）に示すように、１回目の露光動作では、副走査方向１列目の液晶シャッター素子列１Ｒから６４０列目の液晶シャッター素子列６４０Ｒまでが、各々の液晶シャッター素子列の色に対応する副走査方向の画像情報の列データに従って駆動され、副走査方向の６４１列目の液晶シャッター素子列６４１Ｇおよび６４２列目の液晶シャッター素子列６４２Ｂは駆動されない。
すなわち、液晶パネル１上の１列目の液晶シャッター素子列１Ｒでは、画像情報の副走査方向１列目の赤色データ１ｒに基づく像が、液晶パネル１上の副走査方向ｎ列目の液晶シャッター素子列Ｎでは、画像情報の副走査方向ｎ列目のデータｎに基づく像が感光記録媒体２上に露光される。
【００１４】
１回目の露光動作が終了すると、感光記録媒体２は図示しない駆動手段で駆動される媒体搬送ローラ４ａ、４ｂにより副走査方向に搬送され、コードホイール６上のスリットの移動数を媒体搬送量検出器７で読み取り、図示しない演算回路によって感光記録媒体２の搬送量（以下媒体搬送量という）Ｌを検知し、Ｌ＝Ｐとなった時点で媒体搬送ローラ４ａ、４ｂの駆動を止める。この搬送により、感光記録媒体２は副走査方向に１画素ピッチＰ分だけ搬送された状態となる。
このとき、感光記録媒体２上の副走査方向１列目の画像データ１ｒに基づく露光像１１は、液晶パネル１上の副走査方向２列目の液晶シャッター素子列２Ｇに対向する位置に移動する。すなわち、感光記録媒体２上の副走査方向ｎ列目目の画像データｎに基づくの露光像１１が、液晶パネル１上の副走査方向（ｎ＋１）列目の液晶シャッター素子列（Ｎ＋１）に対向する位置に移動する。
【００１５】
次に、２回目の露光動作について図３（ｂ）に基づいて説明する。
２回目の露光動作では、液晶パネル１上の副走査方向２列目の液晶シャッター素子列２Ｇから６４１列目の液晶シャッター素子列６４１Ｇまでが、各々の液晶シャッター素子列の色に対応する画像情報の副走査方向（ｎ−１）列目の画像データ（ｎ−１）に従って駆動される。
すなわち、液晶パネル１上の副走査方向２列目の緑色液晶シャッター素子列２Ｇは、画像情報の副走査方向１列目の緑色画像情報に対応する画像データ１ｇに基づいて駆動され、感光記録媒体２上には１回目の露光動作で露光された画像データ１ｒに基づく露光像１１と同一個所に画像データ１ｇに基づく露光像１１が露光される。以下、同様にして液晶パネル１上のｎ列目の液晶シャッター素子列Ｎは、画像情報の副走査方向（ｎ−１）列目の画像データ（ｎ−１）に基づいて駆動され、感光記録媒体２上には１回目の露光動作で液晶パネル１上の液晶シャッター素子列Ｎとは異なる色の液晶シャッター素子列（Ｎ−１）により露光された露光像１１と同一個所に副走査方向（ｎ−１）列目の画像データ（ｎ−１）に基づく露光像１１が露光されて、２色の重ね露光が行われる。
【００１６】
２回目の露光動作が終了すると、感光記録媒体２は図示しない駆動手段で駆動される媒体搬送ローラ４ａ、４ｂにより副走査方向に搬送され、コードホイール６上のスリットの移動数を媒体搬送量検出器７で読み取り、図示しない演算回路によって媒体搬送量Ｌを検知し、Ｌ＝Ｐとなった時点で媒体搬送ローラ４ａ、４ｂの駆動を止める。この搬送により、感光記録媒体２は副走査方向にさらに１画素ピッチＰ分だけ搬送された状態となる。
このとき感光記録媒体２上の副走査方向１列目の画像データ１ｒおよび１ｇに基づく露光像１１は、液晶パネル１上の副走査方向３列目の液晶シャッター素子列３Ｂに対向する位置に移動する。すなわち、感光記録媒体２上の副走査方向ｎ列目の画像データｎに基づく露光像１１は、液晶パネル１上の副走査方向（ｎ＋２）列目の液晶シャッター素子列（Ｎ＋２）に対向する位置に移動する。
【００１７】
次に、３回目の露光動作について図３（ｃ）に基づいて説明する。
３回目の露光動作では、液晶パネル１上の副走査方向３列目の液晶シャッター素子列３Ｂから６４２列目の液晶シャッター素子列６４２Ｂまでが、各々の液晶シャッター素子列の色に対応する画像情報の副走査方向（ｎ−２）列目の画像データ（ｎ−２）に従って駆動される。
すなわち、液晶パネル１上の副走査方向３列目の緑色液晶シャッター素子列３Ｂは、画像情報の副走査方向１列目の青色画像情報に対応する画像データ１ｂに基づいて駆動され、感光記録媒体２上には１回目および２回目の露光動作において画像データ１ｒおよび１ｇに基づき露光された露光像１１と同一個所に、画像データ１ｇに基づく像が重ね露光され、感光記録媒体２上の１列目には３色の画像データに基づく像が重ね露光される。
以下同様にして、液晶パネル１上のｎ列目の液晶シャッター素子列Ｎは、画像情報の副走査方向（ｎ−２）列目の画像データ（ｎ−２）に基づいて駆動される。したがって、感光記録媒体２上には、１回目および２回目の露光動作で、液晶パネル１上の液晶シャッター素子Ｎ列とは異なる色の液晶シャッター素子列（Ｎ−１）および（Ｎ−２）により形成された露光像１１と同一個所に、副走査方向（ｎ−２）列目の画像データ（ｎ−２）に基づく像が重ね露光され、感光記録媒体２上のｎ列目には３色の画像データが重ね露光される。
【００１８】
このようにして３回目の露光動作が終了すると、感光記録媒体２は図示しない駆動手段で駆動される媒体搬送ローラ４ａ、４ｂにより現像手段５に搬送され、現像手段５により現像動作が行われ、カラー印刷画像を得ることができる。
【００１９】
なお、媒体搬送量Ｌの検知手段として、媒体搬送ローラ４ａ、４ｂの駆動手段にステッピングモータを使用して、感光記録媒体２を１画素ピッチＰ分搬送するのに必要な前記ステッピングモータのパルス数をカウントすることで媒体搬送量Ｌを検知してもよい。
【００２０】
また、副走査方向の各色液晶シャッター素子列の配列順序は、上記に限定するものではなく、赤色液晶シャッター素子列、緑色液晶シャッター素子列および青色液晶シャッター素子列の３色の液晶シャッター素子列を適宜の順に繰り返し配列していればよい。
【００２１】
以上のように、本実施の形態では液晶パネル１上の液晶シャッター素子１０を、副走査方向に赤色液晶シャッター素子列、緑色液晶シャッター素子列、青色液晶シャッター素子列の順に各色の液晶シャッター素子列を適宜の順に繰り返し配列し、画像情報の副走査方向の最大記録画素数ｎの場合、副走査方向に（ｎ＋２）列配列し、感光記録媒体２を１回の露光動作終了後に１画素ピッチＰずつ副走査方向に移動させているので、３色の画像データに基づく像を重ね露光するすることができる。したがって、３種類の光源を用いることなくことなく，また，２枚の液晶パネルを用いることなく、感光記録媒体２を副走査方向に送る動作だけで液晶パネル１の分解能よりも３倍程度高い分解能のカラー画像が得られるとともに、安価で、比較的小型な装置で、高画質な印画画像を得ることができる。また、１枚の液晶パネルの使用でよく，３回の露光動作で全露光動作が終了するので、光源からの光の透過率が良好となり，露光時間を短くすることができ，印画時間が短くなる。
【００２２】
（第２実施の形態）
本発明の第２実施の形態について、図４〜図６に基づいて説明する。
図４は、液晶パネル１上の液晶シャッター素子１０の配列構成を示す図である。ここでは、例として印刷対象となる画像がＶＧＡサイズ（有効記録画素数が４８０×６４０ドット）である場合について記す。また、媒体搬送方向である副走査方向に６４０ドット、媒体搬送方向と直交する方向である主走査方向に４８０ドット配列するものとする。
図４において、Ｗは液晶シャッター素子１０の幅方向の寸法を示し、液晶シャッター素子１０は、主走査方向に４８０個配置されている。副走査方向の記録画素数は６４０ドットで偶数であるから、副走査方向には赤色液晶シャッター素子列、緑色液晶シャッター素子列、青色液晶シャッター素子列の順に各色の液晶シャッター素子列が
（２＋６４０／２）＝３２２列、
２画素分の幅のピッチ、すなわち、２Ｗで配列されている。したがって、前記配列順であると、最後列の３２２列目は赤色液晶シャッター素子列となる。
なお、図中の副走査方向の数字は、液晶シャッター素子列番号を表し、前記列番号の添え字Ｒ、Ｇ、Ｂはそれぞれ赤色液晶シャッター素子列、緑色液晶シャッター素子列、青色液晶シャッター素子列を表す。また、この第２実施の形態における装置全体の構成は、先に説明した第１実施の形態における図１と同一であるので、ここでは重ねての説明を省略する。
【００２３】
次に、この第２実施の形態の動作について、図５および図６に基づいて説明する。
印画動作時は、画像信号に基づいて液晶シャッター素子１０を選択的に開閉駆動することで、バックライト３の光を感光記録媒体２上に露光して露光像１１を形成する。図５（ａ）は１回目の露光動作を示す図である。図中の露光像１１内の数値は、画像情報の副走査方向の列データに対応し、かつ、感光記録媒体上に形成された露光像１１の副走査方向の画像データを示すものであり、また、前記数値の添え字ｒ、ｇ、ｂはそれぞれ赤色液晶シャッター素子、緑色液晶シャッター素子、青色液晶シャッター素子の画像データを示す。すなわち、２ｒは画像情報の副走査方向２列目の赤色信号データ、４ｇは画像情報の副走査方向４列目の緑色信号データ、６ｂは画像情報の副走査方向６列目の青色信号データ、同様に、ｎは画像情報の副走査方向ｎ列目の画像データをそれぞれ表す。
図５（ａ）に示すように、１回目の露光動作では、副走査方向１列目の液晶シャッター素子列１Ｒから３２０列目の液晶シャッター素子列３２０Ｇまでが、各々の液晶シャッター素子列の色に対応し、かつ、各々の液晶シャッター素子列番号の倍の値となる画像情報の副走査方向の列データに従って駆動され、副走査方向の３２１列目および３２２列目の液晶シャッター素子列３２１Ｂ、Ｇ３２２Ｒは駆動されない。
すなわち、液晶パネル１上の１列目の液晶シャッター素子列１Ｒでは、画像情報の副走査方向２列目の赤色データ２ｒに基づく像が、液晶パネル１上の副走査方向ｎ列目の液晶シャッター素子列Ｎでは、ｎ列目の液晶シャッター素子列Ｎの色に対応した画像情報の副走査方向２ｎ列目の画像データ２ｎに基づく像が感光記録媒体２上に露光される。
【００２４】
１回目の露光動作が終了すると、感光記録媒体２は図示しない駆動手段で駆動される媒体搬送ローラ４ａ、４ｂにより副走査方向に搬送され、コードホイール６上のスリットの移動数を媒体搬送量検出器７で読み取り、図示しない演算回路によって媒体搬送量Ｌを検知し、Ｌ＝Ｗ（１画素幅）となった時点で媒体搬送ローラ４ａ、４ｂの駆動を止める。この搬送により、感光記録媒体２は副走査方向に１／２画素ピッチ（すなわち、１画素幅）Ｗだけ搬送された状態となる。
このとき、感光記録媒体２上の副走査方向２列目の画像データ２ｒに基づく露光像１１は、液晶パネル１上の副走査方向１列目の液晶シャッター素子列１Ｒと２列目の液晶シャッター素子列２Ｇの中間に移動する。すなわち、感光記録媒体２上の副走査方向２ｎ列目の画像データ２ｎに基づく露光像１１は、液晶パネル１上の副走査方向ｎ列目の液晶シャッター素子列Ｎと（ｎ＋１）列目の液晶シャッター素子列（Ｎ＋１）との中間に移動する。
【００２５】
次に、２回目の露光動作について図５（ｂ）に基づいて説明する。
２回目の露光動作では、液晶パネル１上の副走査方向１列目の液晶シャッター素子列１Ｒから３２０列目の液晶シャッター素子列３２０Ｇを用いる。副走査方向ｎ列目の液晶シャッター素子列Ｎでは、ｎ列目の液晶シャッター素子列Ｎの色に対応し、かつ、副走査方向の画像情報の（２ｎ−１）列データに従って駆動される。
すなわち、液晶パネル１上の副走査方向１列目の赤色液晶シャッター素子列１Ｒは、画像情報の副走査方向１列目の赤色画像情報に対応する画像データ１ｒに基づいて駆動され、液晶パネル１上の副走査方向２列目の緑色液晶シャッター素子列２Ｇは、画像情報の副走査方向３列目の緑色画像情報に対応する画像データ３ｇに基づいて駆動される。以下、同様にして液晶パネル１上のｎ列目の液晶シャッター素子列Ｎは、ｎ列目の液晶シャッター素子列Ｎの色に対応する画像情報の副走査方向（２ｎ−１）列目の画像データ（２ｎ−１）に基づいて駆動され、１回目の露光動作で露光された露光像１１に対し副走査方向に隙間なく隣接して２回目の露光像１１が形成される。
【００２６】
２回目の露光動作終了後は、前記１回目の露光動作終了後と同様に、感光記録媒体２はさらに１／２画素ピッチ（すなわち、１画素幅）Ｗ分だけ副走査方向に搬送される。
このとき、感光記録媒体２上の１回目の露光像１１は、液晶パネル１上の副走査方向２列目以降の液晶シャッター素子列と対向する位置に移動され、２回目の露光像１１は液晶パネル１上の副走査方向の各液晶シャッター素子列の中間に移動される。
【００２７】
次に、３回目の露光動作について図５（ｃ）に基づいて説明する。
３回目の露光動作では、液晶パネル１上の副走査方向２列目の液晶シャッター素子列２Ｇから３２１列目の液晶シャッター素子列３２１Ｂを用いる。副走査方向ｎ列目の液晶シャッター素子列Ｎでは、ｎ列目の液晶シャッター素子列Ｎの色に対応し、かつ、副走査方向の画像情報の（２ｎ−２）列目の画像データ（２ｎ−２）に従って駆動される。
すなわち、液晶パネル１上の副走査方向２列目の緑色液晶シャッター素子列２Ｇは、画像情報の副走査方向２列目の緑色画像情報に対応する画像データ２ｇに基づいて駆動され、液晶パネル１上の副走査方向３列目の青色液晶シャッター素子列３Ｂは、画像情報の副走査方向４列目の青色画像情報に対応する画像データ４ｂに基づいて駆動される。以下、同様にして液晶パネル１上のｎ列目の液晶シャッター素子列Ｎは、ｎ列目の液晶シャッター素子列Ｎの色に対応する画像情報の副走査方向（２ｎ−２）列目の画像データ（２ｎ−２）に基づいて駆動され、１回目の露光動作で露光された像に重ねて２色の露光像１１が形成される。
【００２８】
３回目の露光動作終了後は、前記１回目、２回目の露光動作終了後と同様に、感光記録媒体２はさらに１／２画素ピッチ（すなわち、１画素幅）Ｗ分だけ副走査方向に搬送される。
このとき、感光記録媒体２上の２回目の露光動作による露光像１１は、液晶パネル１上の副走査方向２列目以降の液晶シャッター素子列と対向する位置に移動され、１回目および３回目の露光動作の露光像１１は、液晶パネル１上の副走査方向の各液晶シャッター素子列の中間に移動される。
【００２９】
次に、４回目の露光動作について図６（ｄ）に基づいて説明する。
４回目の露光動作では、液晶パネル１上の副走査方向２列目の液晶シャッター素子列２Ｇから３２１列目の液晶シャッター素子列３２１Ｂを用いる。副走査方向ｎ列目の液晶シャッター素子列Ｎでは、ｎ列目の液晶シャッター素子列Ｎの色に対応し、かつ、副走査方向の画像情報の（２ｎ−３）列目の画像データ（２ｎ−３）に基づいて駆動される。
すなわち、液晶パネル１上の副走査方向２列目の緑色液晶シャッター素子列２Ｇは、画像情報の副走査方向１列目の緑色画像情報に対応する画像データ１ｇに基づいて駆動され、液晶パネル１上の副走査方向３列目の青色液晶シャッター素子列３Ｂは、画像情報の副走査方向３列目の青色画像情報に対応する画像データ３ｂに基づいて駆動される。以下、同様にして液晶パネル１上のｎ列目の液晶シャッター素子列Ｎは、ｎ列目の液晶シャッター素子列Ｎの色に対応する画像情報の副走査方向（２ｎ−３）列目の画像データ（２ｎ−３）に基づいて駆動され、２回目の露光動作で露光された像に重ねて２色の露光像１１が形成される。
【００３０】
４回目の露光動作終了後は、前記の露光動作終了後と同様に、感光記録媒体２がさらに１／２画素ピッチ（すなわち、１画素幅）Ｗ分だけ副走査方向に搬送された後、５回目の露光動作が始まる。
５回目の露光動作では、図６（ｅ）に示すように、液晶パネル１上の副走査方向３列目の液晶シャッター素子列３Ｂから３２２列目の液晶シャッター素子列３２２Ｒを用いる。副走査方向ｎ列目の液晶シャッター素子列Ｎでは、ｎ列目の液晶シャッター素子列Ｎの色に対応し、かつ、副走査方向の画像情報の（２ｎ−４）列目の画像データ（２ｎ−４）に従って駆動される。
すなわち、液晶パネル１上の副走査方向３列目の緑色液晶シャッター素子列３Ｂは、画像情報の副走査方向２列目の青色画像情報に対応する画像データ２ｂに基づいて駆動され、液晶パネル１上の副走査方向４列目の青色液晶シャッター素子列４Ｒは、画像情報の副走査方向４列目の赤色画像情報に対応する画像データ４ｒに基づいて駆動される。以下、同様にして液晶パネル１上のｎ列目の液晶シャッター素子列Ｎは、ｎ列目の液晶シャッター素子列Ｎの色に対応する画像情報の副走査方向（２ｎ−４）列目の画像データ（２ｎ−４）に基づいて駆動され、１回目および３回目の露光動作で露光された像に重ねて３色の露光像１１が形成される。
【００３１】
５回目の露光動作終了後は、前記の露光動作終了後と同様に、感光記録媒体２がさらに１／２画素ピッチ（すなわち、１画素幅）Ｗ分だけ副走査方向に搬送された後、６回目の露光動作が始まる。
６回目の露光動作では、図６（ｆ）に示すように、液晶パネル１上の副走査方向３列目の液晶シャッター素子列３Ｂから３２２列目の液晶シャッター素子列３２２Ｒを用いる。副走査方向ｎ列目の液晶シャッター素子列Ｎでは、ｎ列目の液晶シャッター素子列Ｎの色に対応し、かつ、副走査方向の画像情報の（２ｎ−５）列目のデータ（２ｎ−５）に従って駆動される。
すなわち、液晶パネル１上の副走査方向３列目の緑色液晶シャッター素子列３Ｂは、画像情報の副走査方向１列目の青色画像情報に対応する画像データ１ｂに基づいて駆動され、液晶パネル１上の副走査方向４列目の青色液晶シャッター素子列４Ｒは、画像情報の副走査方向４列目の赤色画像情報に対応する画像データ３ｒに基づいて駆動される。以下、同様にして液晶パネル１上のｎ列目の液晶シャッター素子列Ｎは、ｎ列目の液晶シャッター素子列Ｎの色に対応する画像情報の副走査方向（２ｎ−５）列目のデータ（２ｎ−５）に基づいて駆動され、２回目および４回目の露光動作で露光された像に重ねて３色の露光像１１が形成される。
【００３２】
６回目の露光動作が終了すると、感光記録媒体２は図示しない駆動手段で駆動される媒体搬送ローラ４ａ、４ｂにより現像手段５に搬送され、現像手段５により現像動作が行われ、カラー印刷画像を得ることができる。
【００３３】
上記実施の形態では、印刷対象となる画像情報の副走査方向の最大記録画素数ｎ（ｎ≧２）が偶数の場合について説明したが、ｎが奇数の場合は、副走査方向に赤色液晶シャッター素子列、緑色液晶シャッター素子列、青色液晶シャッター素子列の各色の液晶シャッター素子列を、適宜に順に繰り返し [２＋（ｎ―１）／２]列分、２画素幅ピッチ２Ｗで配列すればよい。
【００３４】
以上のように、本実施の形態では液晶パネル１上の液晶シャッター素子１０を、副走査方向に赤色液晶シャッター素子列、緑色液晶シャッター素子列、青色液晶シャッター素子列を各色の液晶シャッター素子列を適宜に順に繰り返し配列し、画像情報の副走査方向の最大記録画素数ｎの場合、副走査方向に２画素幅ピッチで（２＋ｎ／２）列配列し、感光記録媒体２を１回の露光動作終了後に１／２画素ピッチ（すなわち、１画素幅）Ｗ分ずつ副走査方向に移動させるので、６回の露光動作で３色の画像データを重ね露光することができる。したがって、３種類の光源を用いることなくことなく，また，２枚の液晶パネルを用いることなく、感光記録媒体２を副走査方向に送る動作だけで液晶パネル１の分解能よりも６倍程度高い分解能のカラー画像が得られ、かつ、液晶パネル１上の非開口部１１による副走査方向のブラックストライプを解消できる。したがって、安価で、比較的小型な装置で、高画質な印画画像を得ることができる。また、１枚の液晶パネルの使用でよく，６回の露光動作で全露光動作が終了するようにしているので、光源からの光の透過率が良好となり，露光時間を短くすることができ，印画時間が短くなる。
【００３５】
（第３実施の形態）
本発明の第３実施の形態について図７、図８、図９に基づいて説明する。
図７は本実施の形態における液晶パネル１の液晶シャッター素子の配列を示す図、図８は印字動作時の液晶シャッター素子列の露光タイミングチャート、図９は印字状態を示す図である。
図７において、媒体搬送方向の上流側から赤色液晶シャッター素子列Ｒｅ、Ｒｏ、緑色液晶シャッター素子列Ｇｅ、Ｇｏ、青色液晶シャッター素子列Ｂｅ、Ｂｏの順に各色２列、６列の液晶シャッター素子１０が千鳥状に配列されている。なお、各液晶シャッター素子列は、印刷対象となる画像の有効記録画素数が前記感光記録媒体の搬送方向と直交する方向にｍ（ただし、ｍ≧２）個である場合、液晶シャッター素子１０を前記感光記録媒体２の搬送方向と直交する方向（すなわち、主走査方向）にそれぞれｍ／２個配列している。
また、各液晶シャッター素子１０の形状は、縦横の寸法がＷ×Ｗの四角形であり、また、各液晶シャッター素子列の列間隔（列ピッチ）Ｐは、（Ｐ＞Ｗ）である。さらに、隣接する液晶シャッター素子列間に跨る前記感光記録媒体の搬送方向と直交する方向の前記各液晶シャッター素子間のピッチは、主走査方向に対して液晶シャッター素子の幅Ｗの５％から３０％が重複するように設定されている（図７（ｂ）参照）。
【００３６】
図８において、Ｖは感光記録媒体２の搬送速度を示す。また、図中の数字は、各液晶シャッター素子列の、画像情報の副走査方向の各ラインデータに対応する露光データを示す。例えば、赤色液晶シャッター素子列Ｒｅ、Ｒｏにおける１、緑色液晶シャッター素子列Ｇｅ、Ｇｏにおける１および青色液晶シャッター素子列Ｂｅ、Ｂｏにおける１は、画像情報の副走査方向の１ライン目に対応する露光データを示すものである。
また、図８の括弧内のアルファベット（ａ）、（ｂ）、（ｃ）…はタイミングを示し、このタイミング毎の印画状態を図９（ａ）〜（ｆ）に示す。
図９中のＲｅｎ、Ｒｅｏ、Ｇｅｎ、Ｇｏｎ、Ｂｅｎ、Ｂｏｎ（ただし，ｎ＝１，２、…、ｎ）は、感光記録媒体２上の露光像１１における各色液晶シャッター素子列の一素子当りの露光済み領域を示し、１、２、３…で示された各添数字は画像情報の副走査方向１、２、３…ライン目の各露光データを示す。
なお、この第３実施の形態における装置全体の構成は、先に説明した第１実施の形態における図１と同一であるので、ここでは重ねての説明を省略する。
【００３７】
次に、この第３実施の形態の動作について、各シャッター素子列別に説明する。
まず、赤色液晶シャッター素子列Ｒｅについての露光動作について説明する。図８および図９（ａ）に示すように、赤色液晶シャッター列Ｒｅについての、画像情報の副走査方向の１，２…ライン目の各ラインデータＲｅ１、Ｒｅ２、Ｒｅ２…に基づくそれぞれの露光は、媒体搬送量Ｌが１画素幅Ｗとなる毎に（すなわち、Ｗ／Ｖ時間毎に）行われる。
これを具体的に説明する。まず、赤色液晶シャッター列Ｒｅの、画像情報の副走査方向の１ライン目のラインデータＲｅ１に基づく露光が行われ、感光記録媒体２上に前記ラインデータＲｅ１に基づく露光像１１が記録される。
次に、図示しない駆動手段により媒体搬送ローラ４ａ、４ｂを回転駆動させ、媒体搬送量検出器７により媒体搬送量Ｌを検出し、この媒体搬送量Ｌが液晶シャッター素子１０の列方向の幅寸法Ｗとなった後、赤色液晶シャッター素子列Ｒｅの、画像情報の副走査方向の２ライン目のラインデータＲｅ２に基づく露光が行われ、図９（ｂ）に示すように感光記録媒体２上に、前記ラインデータＲｅ２に基づく露光像１１が前記ラインデータＲｅ１に基づく露光像１１に隙間なく隣接して記録される。
以下、同様にＬ＝Ｗとなる毎に、画像情報の副走査方向の３，４…ライン目の各ラインデータＲｅ３、Ｒｅ４…Ｒｅｎに基づく露光が行われ，それぞれ隙間なく隣接して記録される。したがって、画像情報の副走査方向の総ライン数ｎ分のラインデータＲｅ１〜Ｒｅｎに基づくｎ個の露光像１１が副走査方向に隙間なく隣接して記録される。
【００３８】
次に、２列目の赤色液晶シャッター素子列Ｒｏについての露光動作について説明する。
図８および図９（ｃ）に示すように、赤色液晶シャッター素子列Ｒｏについての、画像情報の副走査方向の１，２，３…ライン目の各ラインデータＲｏ１、Ｒｏ２、Ｒｏ３…に基づく露光は，直前の液晶シャッター列、すなわち、赤色液晶シャッター素子列Ｒｅについての、画像情報の副走査方向の１，２，３…ライン目の前記各ラインデータＲｅ１、Ｒｅ２、Ｒｅ３…に基づくそれぞれの露光開始からそれぞれＰ／Ｖ時間遅れて行われる。
これを具体的に説明すると、赤色液晶シャッター素子列Ｒｏの、画像情報の副走査方向の１ライン目のラインデータＲｏ１に基づく露光は、直前の液晶シャッター素子列である赤色液晶シャッター素子列Ｒｅの前記ラインデータＲｅ１に基づく露光開始時からＰ／Ｖ時間遅れて開始され、前記ラインデータＲｅ１に基づく露光像１１と同一ライン上に前記ラインデータＲｏ１に基づく露光像１１が記録される（図９（ｂ）参照）。
同様に赤色液晶シャッター素子列Ｒｏの、画像情報の副走査方向の２ライン目のラインデータＲｏ２に基づく露光は、赤色液晶シャッター素子列Ｒｅの前記ラインデータＲｅ２に基づく露光開始時からＰ／Ｖ時間遅れて開始され、前記ラインデータＲｅ２に基づく露光像１１と同一ライン上に、赤色液晶シャッター素子列Ｒｏの前記ラインデータＲｏ２に基づく露光像１１が記録される（図９（ｅ）参照）。
以下同様にして、赤色シャッター素子列Ｒｏについての、画像情報の副走査方向の総ライン数ｎ分の１〜ｎの各ライン目の各ラインデータＲｏ１〜Ｒｏｎに基づく各露光像１１が、直前の液晶シャッター列、すなわち、赤色液晶シャッター素子列Ｒｅの前記各ラインデータＲｅ１〜Ｒｅｎに基づく各露光像１１に対しそれぞれ同一ライン上に記録される（図９（ｅ）参照）。したがって、赤色シャッター素子列Ｒｏの前記ラインデータＲｏ１〜Ｒｏｎに基づくｎ個の各露光像１１は、感光記録媒体２上において、前記赤色シャッター素子列Ｒｅの前記ラインデータＲｅ１〜Ｒｅｎに基づくｎ個の各露光像１１と同様に隙間なく隣接し、かつ、前記ラインデータＲｅ１〜Ｒｅｎに基づくｎ個の各露光像１１の各ラインに上に記録される。
また、隣接する液晶シャッター素子列Ｒｅ、Ｒｏ間に跨る各液晶シャッター素子１０の主走査方向のピッチは、液晶シャッター素子１０がその幅寸法Ｗの５％から３０％分重複するように設定されているので、前記ラインデータＲｅ１〜Ｒｅｎに基づく露光像１１と前記ラインデータＲｏ１〜Ｒｏｎに基づく露光像１１との間の主走査方向のブラックストライプを完全に解消して記録することができる。
【００３９】
次に、３列目の緑色液晶シャッター素子列Ｇｅについての露光動作について説明する。
図８および図９（ｆ）に示すように、緑色液晶シャッター素子列Ｇｅについての、画像情報の副走査方向の１，２，３…ライン目の各ラインデータＧｅ１、Ｇｅ２、Ｇｅ３…に基づく露光は，直前の液晶シャッター列、すなわち、赤色液晶シャッター素子列Ｒｏの１，２，３…ライン目の前記各ラインデータＲｏ１、Ｒｏ２、Ｒｏ３…に基づく露光開始からそれぞれＰ／Ｖ時間遅れて行われる。
これを具体的に説明すると、緑色液晶シャッター素子列Ｇｅの、画像情報の副走査方向の１ライン目のラインデータＧｅ１に基づく露光は、直前の液晶シャッター素子列である赤色液晶シャッター素子列Ｒｏの前記ラインデータＲｏ１に基づく露光開始時からＰ／Ｖ時間遅れて開始され、前記ラインデータＲｅ１に基づく露光像１１と同一領域上に前記ラインデータＧｅ１に基づく露光像１１が記録され、２色のラインデータに基づく像が重ねて記録される（図９（ｆ）参照）。
同様に、緑色液晶シャッター素子列Ｇｅの、画像情報の副走査方向の２ライン目のデータＧｅ２に基づく露光は、直前の赤色液晶シャッター素子列Ｒｏの前記ラインデータＲｏ２に基づく露光開始時からＰ／Ｖ時間遅れて開始され、前記ラインデータＲｅ２に基づく露光像１１と同一領域上に、緑色液晶シャッター素子列Ｇｅの２ライン目のラインデータＧｅ２に基づく像が記録され、２色のラインデータに基づく像が重ねて記録される。
以下同様にして、緑色液晶シャッター素子列Ｇｅについての、画像情報の副走査方向の総ライン数ｎ分のラインデータＧｅ１〜Ｇｅｎに基づく露光は、直前の液晶シャッター素子列である赤色液晶シャッター素子列Ｒｏの前記各ラインデータＲｏ１〜Ｒｏｎに基づく露光開始時からそれぞれＰ／Ｖ時間遅れて開始され、前記各ラインデータＲｅ１〜Ｒｅｎに基づく各露光像１１と同一領域上に、緑色液晶シャッター素子列Ｇｅの各ラインデータＧｅ１〜Ｇｅｎに基づく各像がそれぞれ記録され、２色の画像ラインデータに基づく像が重ね露光される
【００４０】
以降の緑色液晶シャッター素子列Ｇｏ、青色液晶シャッター素子列Ｂｅ、Ｂｏについての、画像情報の副走査方向の各ライン目の各ラインデータに基づく露光も、上記のような要領で、直前の液晶シャッター素子列の対応ラインデータの露光開始時からそれぞれＰ／Ｖ時間遅れて露光開始するように、各液晶シャッター素子列を露光駆動する。
【００４１】
以上の動作を全画像情報のラインデータを記録するまで続ける。また、感光記録媒体２は、媒体搬送ローラ４ａ、４ｂにより現像手段５に搬送され、露光像が形成された領域から順に現像手段５により現像動作が施される。
【００４２】
上記実施の形態では、副走査方向に赤色液晶シャッター素子列Ｒｅ、Ｒｏ、緑色液晶シャッター素子列Ｇｅ、Ｇｏ、青色液晶シャッター素子列Ｂｅ、Ｂｏの順に配列したが、配列順序はこれに限らず、各色２列ずつ交互に配列させればよい。
【００４３】
以上のように、本実施の形態では赤色液晶シャッター素子列Ｒｅ、Ｒｏ、緑色液晶シャッター素子列Ｇｅ、Ｇｏ、青色液晶シャッター素子列Ｂｅ、Ｂｏの順に各色２列、６列の液晶シャッター素子１０を千鳥状に配列し、画像情報の副走査方向の各ラインデータに基づく露光を、液晶パネル１の搬送方向上流側からみて１列目の液晶シャッター素子列については、媒体搬送量検出手段７により検出される媒体搬送量Ｌが、Ｌ＝液晶シャッター素子列の列方向の幅Ｗ、となる毎に行い、２列目以降の液晶シャッター素子列については、直前の液晶シャッター素子列についての各ラインデータに基づく露光開始時から
（液晶シャッター素子列ピッチＰ）／（感光記録媒体２の媒体搬送速度Ｖ）
時間遅れて行うことで、感光記録媒体２上の同一個所に、画像情報の副走査方向の同一ラインの３色のデータに基づく露光像１１を副走査方向に隙間無く形成することができる。したがって、３種類の光源を用いることなくことなく，また，２枚の液晶パネルを用いることなく、感光記録媒体２を副走査方向に送る動作だけで液晶パネル１の分解能よりも高い分解能のカラー画像が得られるとともに、安価で、比較的小型な装置で、高画質な印画画像を得ることができる。また、１枚の液晶パネルの使用でよいので、光源からの光の透過率が良好となり，露光時間を短くすることができ，印画時間が短くなる。
さらに、隣接する液晶シャッター素子列間に跨る主走査方向の液晶シャッター素子１０のピッチを、各液晶シャッター素子１０の幅の５％から３０％が重複する一定値として設定されているので、主走査方向のブラックストライプを完全に解消することができ、特別な駆動手段を用いずに画質を高めることができる。
【００４４】
【発明の効果】
請求項１記載の発明によれば、前記液晶パネルは、印刷対象となる画像の有効記録画素数が前記感光記録媒体の搬送方向にｎ個、前記感光記録媒体の搬送方向と直交する方向にｍ個である場合、前記液晶シャッター素子を前記感光記録媒体の搬送方向と直交する方向にそれぞれｍ個配列した赤色液晶シャッター素子列、緑色液晶シャッター素子列および青色液晶シャッター素子列を有するとともに、前記感光記録媒体の搬送方向に赤色液晶シャッター素子列、緑色液晶シャッター素子列および青色液晶シャッター素子列を一定ピッチで適宜の順に配列したものを繰り返し配列して（ｎ＋２）列配列してなり、前記各液晶シャッター素子は、前記感光記録媒体が前記一定ピッチ搬送される毎に露光駆動されるようにしているので、３種類の光源を用いることなくことなく，また，２枚の液晶パネルを用いることなく、感光記録媒体を副走査方向に送る動作だけで３色の画像ラインデータが重ね露光されて、液晶パネルの分解能よりも３倍程度高い分解能のカラー画像が得られる。したがって、安価で、比較的小型な装置で、高画質な印画画像を得ることができる。また、１枚の液晶パネルの使用でよく，３回の露光動作で全露光動作が終了するので、光源からの光の透過率が良好となり，露光時間を短くすることができ，印画時間が短くなる。
【００４６】
請求項２記載の発明によれば、前記液晶パネルは、印刷対象となる画像の有効記録画素数が前記感光記録媒体の搬送方向にｎ（ただし、ｎ≧２）個、前記感光記録媒体の搬送方向と直交する方向にｍ個である場合、前記液晶シャッター素子を前記感光記録媒体の搬送方向と直交する方向にそれぞれｍ個配列した赤色液晶シャッター素子列、緑色液晶シャッター素子列および青色液晶シャッター素子列を有するとともに、前記感光記録媒体の搬送方向に赤色液晶シャッター素子列、緑色液晶シャッター素子列および青色液晶シャッター素子列を２画素幅ピッチで適宜の順に配列したものを繰り返し配列して、前記記録画素数ｎが偶数の場合は（２＋ｎ／２）列の液晶シャッター素子列を、また、前記記録画素数ｎが奇数の場合は[２＋（ｎ＋１)／２]列の液晶シャッター素子列を配列してなり、前記各液晶シャッター素子は、前記感光記録媒体を１画素幅搬送する毎に露光駆動されるようにしているので、３種類の光源を用いることなくことなく，また，２枚の液晶パネルを用いることなく、感光記録媒体を副走査方向に送る動作だけで液晶パネルの分解能よりも６倍程度高い分解能のカラー画像が得られ、かつ、液晶パネル上の非開口部による副走査方向のブラックストライプを解消できる。したがって、安価で、比較的小型な装置で、高画質な印画画像を得ることができる。また、１枚の液晶パネルの使用でよく，６回の露光動作で全露光動作が終了するようにしているので、光源からの光の透過率が良好となり，露光時間を短くすることができ，印画時間が短くなる。
【図面の簡単な説明】
【図１】  この発明の第１実施の形態におけるプリンタ装置の構成図である。
【図２】  この発明の第１実施の形態における液晶パネルの液晶素子の配置図である。
【図３】  この発明の第１実施の形態における光プリンタの露光動作説明図であって、（ａ）〜（ｃ）はそれぞれ１回目〜３回目の露光動作説明図である。
【図４】  この発明の第２実施の形態における液晶パネルの液晶素子の配置図である。
【図５】  この発明の第２実施の形態における光プリンタの露光動作説明図であって、（ａ）〜（ｃ）はそれぞれ１回目〜３回目の露光動作説明図である。
【図６】  この発明の第２実施の形態における光プリンタの露光動作説明図であって、（ｄ）〜（ｆ）はそれぞれ４回目〜６回目の露光動作説明図である。
【図７】  この発明の第３実施の形態における液晶パネルの液晶シャッター素子の配置説明図であって、（ａ）は液晶シャッター素子の全体配置図であり、（ｂ）は液晶シャッター素子の主走査方向のピッチの説明図である。
【図８】  この発明の第３実施の形態における露光動作時の液晶素子の駆動タイミングチャートである。
【図９】  この発明の第３実施の形態における露光動作説明図であって、（ａ）〜（ｆ）は図８における各タイミング（ａ）〜（ｆ）毎の印画状態説明図である。
【符号の説明】
１  液晶パネル
２  感光記録媒体
３  バックライト
５  現像手段
７  媒体搬送量検出器
８  光学結像手段
１０  液晶シャッター素子
Ｐ  液晶シャッター素子列のピッチ
Ｗ  液晶シャッター素子の副走査方向の幅寸法
【図１】
0003853539.tif 000002
【図２】
0003853539.tif 000003
【図３】
0003853539.tif 000004
【図４】
0003853539.tif 000005
【図５】
0003853539.tif 000006
【図６】
0003853539.tif 000007
【図７】
0003853539.tif 000008
【図８】
0003853539.tif 000009
【図９】
0003853539.tif 000010